(57)【要約】【課題】ストリーム受信したコンテンツの情報に基づき、取得したことを非公開とすることが可能な録画再生装置および録画再生方法を提供する。【解決手段】この発明の１つの実施の形態である録画再生装置（１）は、ネットワーク上に位置するコンテンツ送信元から送信されるコンテンツを受信した際に、受信するコンテンツに所定の制限情報が付属していることを検出し、コンテンツの受信が終了した時点で、受信したコンテンツを、非表示の収容領域に移動し、非表示の収容領域に収容したコンテンツの再生を許諾する制御情報が入力された場合にのみ、非表示の収容領域に収容したコンテンツの再生を許可することを特徴とする。【選択図】  図１０
2010098528.tif 000002
【特許請求の範囲】
【請求項１】
コンテンツを収容する記憶部と、
取得したコンテンツを前記記憶部が記憶可能に処理する信号処理部と、
前記記憶部が記録するコンテンツを、ネットワークを経由して取得する入力部と、
前記信号処理部が処理したコンテンツを表示可能に出力する表示出力部と、
前記表示出力部が出力するコンテンツを、コンテンツの取得時にコンテンツとともに提供される情報に従って、非表示とする表示制御部と、
を有することを特徴とする録画再生装置。
【請求項２】
前記記憶部は、前記入力部を通じて入力されるコンテンツを、コンテンツの属性に基づいて、任意数に区分して記憶することを特徴とする請求項１記載の録画再生装置。
【請求項３】
前記表示制御部は、前記記憶部の特定の区分に収容されるコンテンツを非表示とすることを特徴とする請求項２記載の録画再生装置。
【請求項４】
前記表示制御部は、前記記憶部の特定の区分に収容されるコンテンツを収容する区分を非表示とすることを特徴とする請求項２記載の録画再生装置。
【請求項５】
前記表示制御部は、前記記憶部の特定の区分に収容されるコンテンツの表示を許可する制御情報が入力されることにより、前記記憶部の特定の区分に収容されるコンテンツを表示することを特徴とする請求項３記載の録画再生装置。
【請求項６】
前記表示制御部は、前記記憶部の特定の区分に収容されるコンテンツを収容する区分の表示を許可する制御情報が入力されることにより、前記記憶部の特定の区分に収容されるコンテンツを収容する区分を表示することを特徴とする請求項４記載の録画再生装置。
【請求項７】
ネットワーク上に位置するコンテンツ送信元を供給元として送信されるコンテンツを受信した際に、
受信するコンテンツに、所定の制限情報が付属していることを検出し、
コンテンツの受信が終了した時点で、受信したコンテンツを、非表示の収容領域に移動し、
非表示の収容領域に収容したコンテンツの再生を許諾する制御情報が入力された場合にのみ、非表示の収容領域に収容したコンテンツの再生を許可する
ことを特徴とする録画再生方法。
【発明の詳細な説明】
【技術分野】
【０００１】
この発明は、取得したコンテンツを記録する録画再生装置および録画再生方法に関する。
【背景技術】
【０００２】
ビデオデータ（動画ファイル）あるいはオーディオデータ（音声ファイル）、もしくは両者からなるコンテンツ（番組）は、例えばＭＰＥＧ（Moving Picture Experts Group）−２、あるいはＭＰＥＧ−４（Ｈ．２６４−ＡＶＣ）等の圧縮規格に従って圧縮され、放送事業者あるいは配信事業者から、空間波により、または光ファイバ等を用いたネットワーク（ＬＡＮ）等を経由して、視聴者（ユーザ）に提供される。
【０００３】
今日、ＤＬＮＡ（Digital Living Network Alliance（登録商標））規格に準拠したネットワークが構築されつつあり、受信側機器として位置づけられる録画再生装置が、受信（取得）可能なコンテンツを、ネットワーク上に位置する外部機器（外部チューナやセットトップボックスと称される）等を送信側機器として、取得できる。
【０００４】
また、標準設定として、あるいはユーザによる設定に従い、予め用意されている任意数のフォルダ（グループ化（分類）する際の仕切り）に、取得したコンテンツを振り分けて収容する録画再生装置が広く普及している。なお、フォルダには、例えば年齢により視聴制限が設けられているコンテンツを収容するために、パスワードあるいは鍵符号等の入力を必要とし、パスワードあるいは鍵符号等が正しくない場合に、フォルダ内のコンテンツの再生を禁止することができるものがある。
【０００５】
特許文献１には、受信したコンテンツを収容するフォルダの一つを、鍵付きフォルダに設定できる（フォルダ内のコンテンツの再生にパスワード等が要求される）録画装置が、示されている。
【特許文献１】特開２００８−７２４３９
【発明の開示】
【発明が解決しようとする課題】
【０００６】
特許文献１に開示された録画装置は、受信したコンテンツを録画した後に、仕分けに用いるフォルダに関するものであり、仕分けすなわち鍵付きフォルダへ移動するまでの間、あるいは鍵付きフォルダへの移動を怠った場合には、年齢による視聴制限が機能しない。
【０００７】
なお、文献１では、コンテンツの受信中については、視聴制限は困難である。
【０００８】
この発明の目的は、取得したコンテンツの情報に基づき、取得したことを非公開とすることが可能な録画再生装置および録画再生方法を提供することである。
【課題を解決するための手段】
【０００９】
この発明は、上記問題点に基づきなされたもので、コンテンツを収容する記憶部と、取得したコンテンツを前記記憶部が記憶可能に処理する信号処理部と、前記記憶部が記録するコンテンツを、ネットワークを経由して取得する入力部と、前記信号処理部が処理したコンテンツを表示可能に出力する表示出力部と、前記表示出力部が出力するコンテンツを、コンテンツの取得時にコンテンツとともに提供される情報に従って、非表示とする表示制御部と、を有することを特徴とする録画再生装置である。
【発明の効果】
【００１０】
この発明によれば、録画再生装置において、ストリーム受信によりコンテンツを取得する（受信する）際に、対象であるコンテンツに、視聴年齢制限等の制限に関する情報がリスト（添付）されていることを検知して、視聴に対して制限のあるコンテンツをモニタ装置に表示することなく、受信できる。
【００１１】
また、カギ付きフォルダ内のコンテンツは、ネットワーク上に位置するプレーヤ等からは視聴（再生）できないよう制御することで、録画再生装置から離れた位置で子供が操作するプレーヤ等が接続されることのあるネットワークまたは家庭内ＬＡＮを用いてストリーム受信によりコンテンツを取得する際に、年齢制限が付与されたコンテンツが不用意に、視聴できてしまう、という問題が解消する。
【発明を実施するための最良の形態】
【００１２】
以下、図面を参照して、本発明の実施の形態の一例について説明する。
【００１３】
図１に示すように、本発明の実施の形態が適用される録画再生装置１は、家庭内ＬＡＮ（Local Area Network）あるいは同一建物内に構築される比較的小規模のネットワークＮＴを介して、例えばケーブルテレビ対応チューナ（ＳＴＢ，Set Top Box，と称されることもある）１０１、およびプレーヤ（Digital Media Player）２０１と相互に接続される。なお、家庭内ＬＡＮあるいはネットワークＮＴは、もしくはホームサーバー（Home Saver，大容量記録装置）であってもよい。また、家庭内ＬＡＮあるいはネットワークＮＴは、ＤＬＮＡ（Digital Living Network Alliance（登録商標））規格に準拠することが好ましい。
【００１４】
録画再生装置１は、アンテナ線１１に接続される図示しないアンテナを介して、例えば放送事業者が空間波として提供するデジタルおよびアナログのコンテンツ（番組）を、受信（取得）できる。また、録画再生装置１は、家庭内ＬＡＮあるいはネットワークＮＴを介して、例えば配信事業者が光ファイバあるいはメタル（有線）配信網を通じて配信するコンテンツを、ケーブルテレビ対応チューナ１０１が取得（受信）したコンテンツを受信できる。なお、録画再生装置１は、図示しないが内部チューナを有し、内部チューナを介して、放送事業者が提供する衛星デジタルＴＶ放送（衛星波）や、地表波として提供される地上デジタル／アナログＴＶ放送に代表される公衆向け放送の映像信号および音声信号も受信可能であることはいうまでない。また、ケーブルテレビ対応チューナ１０１は、広義に、送信機（送信側機器）と称される。
【００１５】
録画再生装置１は、取得した（入力）コンテンツをユーザが視聴可能に、あるいは所定形式で録画するための所定の処理を実行する録画処理部３、録画処理部３により録画可能に処理されたコンテンツを記憶（保持）するデータ保存部５、家庭内ＬＡＮあるいはネットワークＮＴ上に位置する送信機により提供されるコンテンツを受信（取得）可能なネットワークコントローラ７、およびユーザによる操作すなわちユーザ操作を受け付ける操作入力部またはリモコン受信部９を、少なくとも含む。なお、録画再生装置１は、図示しないが、モニタ装置（映像表示装置）および音声再生装置（スピーカまたはＡＶ（オーディオ／ビデオ）アンプ）が接続されることで、以下に説明する各部で再生された映像および音声を、モニタ装置とスピーカが再生可能に、出力する。
【００１６】
録画処理部３は、詳述しないが、例えば映像（動画および静止画）を処理する映像処理部およびオーディオ（音声および非映像信号）を処理するオーディオ処理部を少なくとも含む録画再生信号処理部と、録画再生信号処理部とネットワークコントローラ７との間の映像データおよびオーディオデータの受け渡しや、入力（取得）コンテンツの記録および既に保持しているコンテンツの再生、ならびに録画再生装置１の全体の動作の制御を受け持つ主制御装置もしくは主制御ブロック、を少なくとも含む。
【００１７】
録画再生信号処理部は、詳述しないが、ビデオエンコーダ部、ビデオデコーダ部、オーディオエンコーダ部、およびオーディオデコーダ部、等を含む。録画再生信号処理部は、また、例えばネットワークコントローラ７もしくは図示しない内部チューナから入力された動画像（映像信号）／オーディオ信号（音声信号）を、データ保持部５において記録可能に、あるいはデータ保持部５に保持されている映像信号及び音声信号を、モニタ装置およびスピーカにより再生可能に、主制御ブロックの制御に従い、適宜、処理する。
【００１８】
データ保持部５は、詳述しないが、例えばハードディスク装置（Hard Disk Drive，ＨＤＤ）、カードメモリ（半導体メモリ）リーダライタ（インタフェース）、光ディスク装置の少なくとも１つを含み、録画処理部３において処理された記録対象のデータを保持し、あるいは既に保持しているデータを、再生対象として出力する。なお、データ保持部５が、ＨＤＤである場合、例えば２５０〜１０００Ｇバイトの記録容量が与えられた書き換え可能な大容量記録装置であって、記録レートを変えることにより、最大で１０００時間程度の映像信号および音声信号が記録可能である。
【００１９】
ネットワークコントローラ７は、家庭内ＬＡＮあるいはネットワークＮＴ上に位置するほかの機器、例えば外部チューナ（ケーブルテレビ対応チューナ）１０１が送信するコンテンツを受信する。
【００２０】
ユーザ操作入力部またはリモコン受付部９は、録画再生装置１本体に設けられている図示しないが操作ボタン群により直接指示される（ユーザからの）操作入力を受け付ける。例えば、録画再生装置１本体に通常設けられている再生（ＰＬＡＹ）ボタンによる再生指示や録画（ＲＥＣ）ボタンによる録画指示が、ユーザ操作入力部により入力可能である。また、図示しないが、リモコン端末を介してユーザから指示される制御情報、例えば内部チューナとネットワークコントローラ１０７からの入力の選択や、録画再生信号処理部による録画処理、ならびに光ディスクへのダビング（あるいはムーブ）すべきコンテンツの決定、等のさまざまなユーザ操作を受けつける。
【００２１】
ケーブルテレビ対応チューナ１０１は、録画再生装置１に接続されるアンテナ線１１と独立に、例えば配信事業者において用意される光ファイバあるいはメタル（有線）配信網と接続されるアンテナ線１３を介在させて外部（配信事業者あるいはインターネット網もしくは映像サーバ等）と接続され、取得（受信）対象であるデジタルあるいはアナログのコンテンツを提供するチャンネルあるいはサイト（情報供給元）を特定（選局）し、あるいは目的のタイトルを特定する選局部１１１と、ネットワークコントローラ１０７を、少なくとも含む。
【００２２】
選局部１１１で選局したチャンネルあるいはサイトから提供されるコンテンツ（番組）あるいは映像サーバが保持する目的のタイトルは、ネットワークコントローラ１０７から家庭内ＬＡＮあるいはネットワークＮＴ上に位置するほかの機器、例えば録画再生装置１あるいはプレーヤ２０１が受信可能に送信される。
【００２３】
プレーヤ２０１は、家庭内ＬＡＮあるいはネットワークＮＴ上に位置する送信機（図１の例では、外部チューナ１０１）が送信するコンテンツを受信（取得）するネットワークコントローラ２０７、およびネットワークコントローラ２０７により取得したコンテンツを再生する映像再生部２１９を、少なくとも含む。
【００２４】
なお、図１により説明した例では、家庭内ＬＡＮまたはネットワークＮＴは、録画再生装置１およびプレーヤ２０１を受信機（受信側機器）とし、ネットワークＮＴを介してケーブルテレビ対応チューナ（外部チューナ）１０１を送信機（送信側機器）としたが、受信機と送信機は、再生対象となるコンテンツの供給元が送信機と位置づけられることで、任意に変更可能である。例えば、プレーヤ２０１に対しては、録画再生装置１が送信機となりうる。また、録画再生装置１に外部チューナ１０１が内挿されてもよく、その場合、プレーヤ２０１が受信機となり、録画再生装置１および外部チューナ１０１が送信機となる。
【００２５】
このため、録画再生装置１に収容されたタイトル（コンテンツ）は、ネットワーク越しに、プレーヤ２０１で、視聴することができる。
【００２６】
図２は、図１に示した実施の形態が適用可能な録画再生装置（レコーダ装置）におけるモニタ出力の一例を示す。
【００２７】
録画再生装置１に、図示しないモニタ装置（映像表示装置）および音声再生装置が接続されることで、モニタ装置には、受信中のコンテンツ（番組）あるいはユーザ操作入力に対応する所定の映像あるいは画面表示が表示される。
【００２８】
ユーザ操作により、例えばナビゲーション画面の表示が指示された場合、例えば図２に示すような表示画面が表示される。
【００２９】
図２に示す例は、ナビゲーション画面の１つであり、「フォルダ」と「タイトル」を表示する『見るナビ』画面の表示の一例である。『見るナビ』画面は、図１に示した録画再生装置１のデータ保存部５に保存されているコンテンツの属性もしくはユーザの判断による区分に基づく複数の『フォルダ』または『ごみ箱（フォルダ）』のいずれかへのアクセスが可能であることを示す。
【００３０】
なお、複数の『フォルダ』表示は、取得したコンテンツをデータ保存部５に保存する際に、コンテンツの属性に従って、予めユーザが設定した、もしくは映像処理部３において予め設定されている区分に応じて、自動的に保存先として選択されるよう、設定された各フォルダへのアクセスが可能であることを示す。
【００３１】
また、『ごみ箱』表示は、ユーザにより「消去」が選択されたコンテンツが保存される［ごみ箱領域］へのアクセスを可能とする。なお、「ごみ箱」は、ユーザにより「消去」が選択されたコンテンツが保存されるもので、誤った操作により再生対象であるコンテンツが消去されることを防止するために有益である。すなわち、消去対象のコンテンツは、一旦［ごみ箱領域］に移動（データ保存部５内においては、実質的にコンテンツのヘッダに、［ごみ箱領域］へ移動されたことが付属情報として記録）され、ユーザによる「ごみ箱」から消去するステップを経て消去されるため、不用意に再生対象あるいは再生予定のコンテンツが消去されることに対する救済に威力を発揮する。
【００３２】
また、『カギ付きフォルダ』表示は、視聴（再生）に対して年齢制限等のいくつかの条件を満たすことが求められるコンテンツが収容される「フォルダ」へのアクセスを可能とするが、アクセスしようとするユーザからの操作に対して、例えば図５により後段に説明する「暗証番号等の解除キー（あるいはパスワード）」の入力が要求される。
【００３３】
図３は、図２に示した録画再生装置において、データ保存部に保存されるコンテンツの収容先の区分を模式的に示す。
【００３４】
図３から明らかなように、［ｒｏｏｔ］ディレクトリ（フォルダ）の［ｖｉｄｅｏ］ディレクトリに関連づけられている［ＨＤＤ］ディレクトリ内に、「私のフォルダ」、「お楽しみ番組」、「クリップ映像」、「カギ付きフォルダ」、「ごみ箱」の各フォルダおよび「１００匹のネコ」のタイトルが、関連づけられている。なお、例えば「お楽しみ番組」のフォルダには、『Ｆ−１  ○○○ＧＰ』が保存されている（録画済である）ことがわかる。
【００３５】
その一方で、「カギ付きフォルダ」について、下位ディレクトリ、すなわちフォルダ内にあるコンテンツのタイトル名あるいはコンテンツの存在（有無）は、ユーザによる「表示」の設定が選択されない限り、表示しないものとする（制御ブロックにおけるファームにて、出荷時に設定する）。
【００３６】
図４は、図３に示した収容先が収容するコンテンツをリストした画面表示（録画再生装置１に接続されるモニタ装置への表示出力）の一例であって、図２に示した『見るナビ』画面から、任意のフォルダ内、例えば「私のフォルダ」内のコンテンツのタイトルまたは「サブフォルダ（下位ディレクトリ）」が表示される例を示す。
【００３７】
図４から明らかなように、「私のフォルダ」の画面表示においては、『ニュース７』、『プロ野球』および『Ｊリーグサッカー』の「タイトル」、もしくはサブフォルダがある場合には、そのフォルダが、表示される。
【００３８】
図５は、図３に示した収容先が収容するコンテンツをリストした画面表示（録画再生装置１に接続されるモニタ装置への表示出力）の一例であって、図２に示した『見るナビ』画面から、任意のフォルダ内、例えば「カギ付きフォルダ」内のコンテンツのタイトルを表示する例を示す。
【００３９】
図５から明らかなように、「カギ付きフォルダ」が収容するコンテンツを表示させようとするユーザ操作があった場合、暗証番号等の解除キー（あるいはパスワード）の入力が要求される。
【００４０】
従って、「カギ付きフォルダ」内のコンテンツを再生あるいはタイトルを表示しようとした場合、正しい暗証番号が入力された場合にのみ、「カギ付きフォルダ」内のタイトル（コンテンツ）の一覧が表示され、以降の再生ためのタイトルの選択が可能となる。このことは、同時に、ネットワーク上に位置するプレーヤ２０１からは、録画再生装置１のデータ保存部５に保持しているコンテンツのうちの「カギ付きフォルダ」に収容されたコンテンツを除いたコンテンツについてのみ、再生許諾を与えることと同義である。
【００４１】
図６は、図５により説明した「カギ付きフォルダ」へのコンテンツの仕分け（収容）方法（コンテンツ受信方法）を示す。
【００４２】
既に説明したが、図１に示した録画再生装置１は、ネットワークまたは家庭内ＬＡＮ上に位置する外部チューナ１０１を供給元として、コンテンツを取得できる。
【００４３】
反面、既に実用化されている自動録画機能、例えば「おまかせ録画」あるいは「キーワード録画」等により、ユーザが意図しない任意のタイミングで、対象となるコンテンツが自動的に録画されることがある。
【００４４】
図６において、最初に、送信機（外部チューナ１０１）から「Create Object」が送信される。このとき、送信対象のコンテンツに、例えば「恐怖感を与える場面」が収録されている等の理由により、視聴年齢制限等が付与されている場合には、「Create Object」に、図７に一例を示すような、視聴年齢制限等の制限に関する情報が、リスト（添付）される［１］。
【００４５】
送信機は、受信機（録画再生装置１）からの受信可能通知すなわちコンテンツの受信先となる「HTTP POST」のＵＲＩを受信した後［２］、コンテンツを、指定されたＵＲＩに送信する。すなわち、送信機から、受信機を１つのエンティティとみなしてコンテンツ（ストリーム）が送信される［３］。
【００４６】
受信機は、送信機から送信されたコンテンツ（ストリーム）を、送信機からの「終了通知（chunk 0）」を受信するまでの間、順次受信する［４］。
【００４７】
総てのストリームが受信できた時点で「受信成功（録画完了）」を示す、「HTTP 200 OK」が、受信機から送信機に送信される［５］。
【００４８】
なお、「HTTP POST」により、送信機から送信されたコンテンツを受信（コンテンツを取得）することは、受信機からみた状態で、upload （受信）と呼称される。
【００４９】
ところで、「Create Object」に視聴年齢制限等の制限に関する情報がリスト（添付）されている場合には、録画再生装置（受信機）１は、受信したストリーム（コンテンツ）をデータ保存部５に記録する際に、図３に示した「カギ付きフォルダ」に収容する。
【００５０】
これにより、コンテンツを受信した以降、「カギ付きフォルダ」へ移動するまでの間、あるいは「かぎ付きフォルダ」への移動を怠った場合、もしくは（視聴中すなわちモニタ装置に映像を表示させた状態において）コンテンツを受信する（何らかの映像を表示している状態でコンテンツの送信が開始された）場合において、視聴に対して制限のあるコンテンツをモニタ装置に表示することなく、「カギ付きフォルダ」へ収容できる。
【００５１】
また、この方法によれば、視聴に対して制限のあるコンテンツを受信することを、現在コンテンツを視聴中のユーザに気づかせること無く、受信（upload（受信））できる。
【００５２】
なお、図２に一例を示したモニタ装置への表示出力としては、図８に示すように、視聴年齢制限等が付与されているコンテンツ（番組）が収容される「カギ付きフォルダ」そのものを非表示とすることも可能である。この場合、図３に示したコンテンツ収容先の区分としては、図９に示すように、概念上「カギ付きフォルダ」が存在することを意識させることがない状態となる。
【００５３】
図１０は、図６を用いて説明した受信機（録画再生装置１）と送信機（外部チューナ１０１）との間の制御コマンドの受け渡しを、ソフトウエア的に示す。
【００５４】
送信機（外部チューナ１０１）から、「Create Object（送信開始通知）」が送信される。なお、送信対象のコンテンツに視聴年齢制限等が付与されている場合には、「Create Object」に、図７に一例を示したような、視聴年齢制限等の制限に関する情報が、リスト（添付）される（Ｓ１）。
【００５５】
「Create Object（送信開始通知）」を受信すると、「カギ付きフォルダ」がある（存在する）ことがチェックされる（Ｓ２）。なお、「カギ付きフォルダ」がない（存在しない）場合（Ｓ２−ＹＥＳ）、送信機に対して［受信エラー］が通知（返信）される（Ｓ１１）。この場合、コンテンツの受信は、終了となる（Ｓ８）。
【００５６】
「カギ付きフォルダ」が存在する（ある）場合（Ｓ２−ＮＯ）、「受信可能通知すなわちコンテンツの受信先となる「HTTP POST」のＵＲＩ」が送信（返信）され、送信機からのコンテンツ（ストリーム）を受信する（Ｓ３）。
【００５７】
以下、ストリーム（コンテンツ）の受信が終了する（送信機からの「終了通知（chunk 0）」を受信する）までの間、受信中のストリーム中の［視聴年齢制限情報］を監視し、例えば主制御ブロック（録画処理部３）内のファームにより、あるいは予め決められた保持領域に［視聴年齢制限情報］を保持するとともに、監視中に［視聴年齢制限番組］と判断できた場合には、再び「カギ付きフォルダ」があることをチェックする（Ｓ３，Ｓ４）。なお、監視中に［視聴年齢制限番組］と判断できた場合であって、「カギ付きフォルダ」がない（存在しない）ことが検知された場合（Ｓ４−ＹＥＳ）、送信機に対して［受信エラー］が通知（返信）され、終了となる（Ｓ８）。
【００５８】
以下、ストリーム（コンテンツ）の受信が終了する（送信機からの「終了通知（chunk 0）」を受信する）までの間、受信部が受信したストリーム（コンテンツ）について、送信開始時に保持した［視聴年齢制限情報］が参照される（Ｓ６）。
【００５９】
受信したストリーム（コンテンツ）に［視聴年齢制限情報］がある（［視聴年齢制限情報］が添付されていることが判断できた）場合（Ｓ６−ＹＥＳ）には、収容（受信）したストリーム（コンテンツ）が、「カギ付きフォルダ」に移動される。なお、受信（収容）したストリーム（コンテンツ）を「カギ付きフォルダ」に移動することは、収容したストリーム（コンテンツ）に、［視聴年齢制限情報］が付属していることを示すヘッダ情報が付加されることと、実質的に等価である（Ｓ１２）。
【００６０】
受信したストリーム（コンテンツ）に［視聴年齢制限情報］がない（［視聴年齢制限情報］が添付されていないことが判断できた）場合（Ｓ６−ＮＯ）には、ユーザが予め設定したフォルダ（［ＨＤＤ］）に、収容（受信）したストリーム（コンテンツ）が、収容（記録）される（Ｓ７）。
【００６１】
なお、「Create Object（送信開始通知）」においては、図８に示したが、視聴年齢制限番組であることは、「Create Object」中の、『＜ｕｐｎｐ：ｒａｔｉｎｇ＞７＜／ｕｐｎｐ：ｒａｔｉｎｇ＞』というＸＭＬタグにより、視聴年齢制限情報が通知（リスト）される。従って、『＜ｕｐｎｐ：ｒａｔｉｎｇ＞７＜／ｕｐｎｐ：ｒａｔｉｎｇ＞』タグの値が１以上の場合は、視聴年齢制限番組であると判断できる。
【００６２】
また、視聴年齢制限情報は、ストリーム中に含まれることがあるため、「Ｓ６」に示したように、ストリーム（コンテンツ）を受信している間は、視聴年齢制限情報を監視することが有効である。
【００６３】
なお、受信したコンテンツ（ストリーム）を上述した「カギ付きフォルダ」へ移動する（または、直接「カギ付きフォルダ」へ収容する）ことは、「Create Object」においては、受信先フォルダを指定することができる。
【００６４】
すなわち、図７に示したが、『＜ＤＬＮＡ．ＯＲＧ＿ＡｎｙＣｏｎｔａｉｎｅｒ＞』を読み取り、受信先として「カギ付きフォルダ」を用意して、そのフォルダにコンテンツを保存することは、録画再生装置１側で決定できる。これにより、視聴年齢制限情報が通知（リスト）された「Create Object」を受信した時点で、対象であるコンテンツを「カギ付きフォルダ」に収容することは、何らかの映像を視聴中、すなわちモニタ装置に映像を表示させた状態において、コンテンツの送信が開始された場合においても、視聴に対して制限のあるコンテンツをモニタ装置に表示することなく、「カギ付きフォルダ」へ収容できる。
【００６５】
なお、「カギ付きフォルダ」の存在、およびその暗証番号を知っているユーザに対しては、ネットワーク越しであってもプレーヤ等を介して視聴年齢制限番組の視聴を許諾することも可能である。例えば、録画再生装置側で正しい暗証番号が入力された場合にのみ、「カギ付きフォルダ」のタイトルについても、ネットワーク上に位置するプレーヤ等から視聴可能とすることもできる。
【００６６】
以上説明したように、本発明の実施の形態の１つを用いることにより、録画再生装置において、ストリーム受信によりコンテンツを取得する（受信する）際に、対象であるコンテンツに、視聴年齢制限等の制限に関する情報がリスト（添付）されていることを検知して、視聴に対して制限のあるコンテンツをモニタ装置に表示することなく、受信できる。
【００６７】
また、カギ付きフォルダ内のコンテンツは、ネットワーク上に位置するプレーヤ等からは視聴（再生）できないため、録画再生装置から離れた位置で子供が操作するプレーヤ等が接続されることのあるネットワークまたは家庭内ＬＡＮを用いてストリーム受信によりコンテンツを取得する際に、年齢制限が付与されたコンテンツが不用意に、視聴できてしまう、という問題は発生しない。
【００６８】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６９】
【図１】この発明の実施の形態が適用可能な録画再生装置およびネットワークの一例を示す概略図。
【図２】図１に示した実施の形態が適用可能な録画再生装置（レコーダ装置）からモニタ装置へ出力される表示出力の一例を示す概略図。
【図３】図２に示した録画再生装置の表示出力において、データ保存部に保存されるコンテンツの収容先の区分を模式的に示す概略図。
【図４】図３に示した収容先が収容するコンテンツをリストした画面表示（録画再生装置１に接続されるモニタ装置への表示出力）の一例を示す概略図。
【図５】図３に示した収容先が収容するコンテンツをリストした画面表示（録画再生装置１に接続されるモニタ装置への表示出力）の一例であって、「カギ付きフォルダ」へのアクセス時の表示例を示す概略図。
【図６】図５により説明した「カギ付きフォルダ」へのコンテンツ受信方法（仕分け（収容））方法を示す概略図。
【図７】図６に示したコンテンツ受信方法において、送信機から送信される「Create Object」に「視聴年齢制限等の制限に関する情報」がリスト（添付）される例を示す概略図。
【図８】図１に示した実施の形態が適用可能な録画再生装置（レコーダ装置）からモニタ装置へ出力される表示出力の一例を示す概略図。
【図９】図８に示した録画再生装置の表示出力において、データ保存部に保存されるコンテンツの収容先の区分を模式的に示す概略図。
【図１０】図６を用いて説明した受信機（録画再生装置１）と送信機（外部チューナ１０１）との間の制御コマンドの受け渡しを、ソフトウエア的に示す
【符号の説明】
【００７０】
１…録画再生装置、３…録画処理部、５…データ保存部、７…ネットワークコントローラ、１０１…外部チューナ、１０７…ネットワークコントローラ、１１１…選局部、２０１…プレーヤ、２０７…ネットワークコントローラ、２１３…映像表示部。
【図１】
2010098528.tif 000003
【図２】
2010098528.tif 000004
【図３】
2010098528.tif 000005
【図４】
2010098528.tif 000006
【図５】
2010098528.tif 000007
【図６】
2010098528.tif 000008
【図７】
2010098528.tif 000009
【図８】
2010098528.tif 000010
【図９】
2010098528.tif 000011
【図１０】
2010098528.tif 000012